(57)【要約】【課題】釣竿の元竿外面側に取り付けた鉤掛け部材に掛ける鉤の鉤先による元竿外面側の傷付きを防止した釣竿を提供することである。【解決手段】前側の握り部１５の前側の元竿１外周には鉤掛け部材２が糸１７で糸巻き固定され、鉤掛け部材２は金属線等で水平の取付部２ａに鉤掛け部２ｂが起立して設けられて鉤掛け部２ｂは逆三角形で内側に孔が形成されている。鉤掛け部材２の前側の元竿１外周には竿管保護部材３が固定されている。竿管保護部材３は合成樹脂製熱収縮性チュ−ブを元竿１外周に被嵌固定したり、合成樹脂、ゴム等の柔軟性のシ−トが巻回固定されている。竿管保護部材３に合成樹脂製熱収縮性チュ−ブが使用された時、収縮後のチュ−ブの厚みは０．５ｍｍ以上が好ましい。竿管保護部材３の元竿の軸線方向の長さは５ｍｍ〜３０ｍｍ好ましくは１５ｍｍ〜２５ｍｍに設定するとよい。【選択図】        図２
2004290037.tif 000002
【特許請求の範囲】
【請求項１】
釣竿の元竿外面側に鉤を掛ける鉤掛け部材を有し、該鉤掛け部材近傍の竿管外面に一体又は別体で竿管保護部材を設けた事を特徴とする釣竿。
【請求項２】
前記竿管保護部材は竿管よりも柔軟性を有する部材で構成されている事を特徴とする請求項１記載の釣竿。
【請求項３】
前記竿管保護部材は長手方向５ｍｍ〜３０ｍｍの長さを有する事を特徴とする請求項１・２記載の釣竿。
【請求項４】
前記鉤掛け部材は鉤の鉤先を挿通出来る鉤掛け部を有する事を特徴とする請求項１〜３記載の釣竿。
【請求項５】
前記竿管保護部材は脱着式になっている事を特徴とする請求項１〜４記載の釣竿。
【請求項６】
前記竿管保護部材の延長部で鉤部の上面を覆う事が可能に構成されている事を特徴とする請求項１〜３及び請求項５記載の釣竿。
【発明の詳細な説明】
【０００１】
【発明の属する技術分野】
本発明は、釣竿の元竿外面側に取り付けた鉤掛け部材に鉤の鉤先を掛ける釣竿の改良に関する。
【０００２】
【従来の技術】
従来釣り竿とルア−のフック（釣り鉤）を一体的に保持するために透明素材でルア−と釣り竿を包み込んだ提案（例えば特許文献１参照）や、糸掛け（鉤掛け）を釣竿に着脱自在に設けた提案（例えば特許文献２参照）がある。
【０００３】
【特許文献１】特開２００１−２０４３０８号公報
【特許文献２】特開平７−２８９１２２号公報
【０００４】
特許文献１には、透明素材に係止具を取り付けて係止具にルア−のフック（釣り鉤）を係止すると共に透明素材で釣り竿とルア−を包み込んでいるので、透明素材は釣り竿を案内棒にして移動自在であるから、ルア−やフック（釣り鉤）の位置が定まらず、操作に不便である。
特許文献２には、釣竿の外周に嵌合された断面Ｃ字状の弾性糸掛け本体の外周に釣り針挿入孔が形成された糸掛け部が突設されている。
糸掛け部に釣り針が掛けられると、針先の向きによって釣竿の外周に当り、外周面に傷を付けてしまう。
【０００５】
【発明が解決しようとする課題】
解決しようとする課題は、釣竿の元竿外面側に鉤を掛ける鉤掛け部材を設けて鉤を掛けると、鉤先の向きによって元竿外面側に傷を付けてしまうことである。
【０００６】
本発明の目的は前記欠点に鑑み、釣竿の元竿外面側に取り付けた鉤掛け部材に掛ける鉤の鉤先による元竿外面側の傷付きを防止した釣竿を提供することである。
【０００７】
【課題を解決するための手段】
上記課題を解決するために、
請求項１に係わる本発明は、釣竿の元竿外面側に鉤を掛ける鉤掛け部材を有し、該鉤掛け部材近傍の竿管外面に一体又は別体で竿管保護部材を設けた事を要旨とするものである。
請求項２に係わる本発明は、前記竿管保護部材は竿管よりも柔軟性を有する部材で構成されている事を要旨とするものである。
請求項３に係わる本発明は、前記竿管保護部材は長手方向５ｍｍ〜３０ｍｍの長さを有する事を要旨とするものである。
請求項４に係わる本発明は、前記鉤掛け部材は鉤の鉤先を挿通出来る鉤掛け部を有する事を要旨とするものである。
請求項５に係わる本発明は、前記竿管保護部材は脱着式になっている事を要旨とするものである。
請求項６に係わる本発明は、前記竿管保護部材の延長部で鉤部の上面を覆う事が可能に構成されている事を要旨とするものである。
【０００８】
【発明の実施の形態】
請求項１の本発明においては、鉤先５ａが竿管保護部材３に触れても元竿１の竿管本体及び外周塗装部に傷が付き難く、外観品位の維持と竿管の損傷を防止出来る。
請求項２の本発明においては、鉤先５ａが竿管保護部材３に触れても鉤先５ａを痛め難い。
請求項３の本発明においては、竿管保護部材３の長さが５ｍｍ〜３０ｍｍ好ましくは１５ｍｍ〜２５ｍｍあると、鉤部５を鉤掛け部材２に掛けた場合、竿管を長さ方向で最小限保護することができ、竿管本体のデザイン性を損なうことなく、同時に上記長さ範囲であれば軽量化を損なう事が少ない。
請求項４の本発明においては、鉤掛け部材２には鉤先５ａを挿通できる鉤掛け部２ｂを有しているので、鉤部が掛け易く、外れ難く、移動中においても鉤部５が回転し難く、竿管保護部材３にも触れ難い。
【０００９】
請求項５の本発明においては、竿管保護部材８が脱着式に構成されていると、釣りの最中には取り外しが可能な為、釣り動作の妨げにならない。
請求項６の本発明においては、竿管に傷がつかないと同時に釣人が鉤先に触れて怪我をする事を防止出来る。
【００１０】
【実施例】
以下、本発明を実施例で図面に基づき説明すると、図１から図４（ａ）、図５（ａ）は第１実施例で、図１は釣竿の側面図、図２は図１の要部拡大側面図、図３は図２のＦ３−Ｆ３断面線の断面背面図、図４（ａ）は鉤掛け部材の側面図で（ｂ）は鉤掛け部材の一部断面背面図である。
【００１１】
釣竿は、元竿１の前側に順次中竿１０と穂先竿１１が振り出し式に継合されて穂先竿１１先端にトップガイド１２が固定されている。
元竿１にはリ−ル装着部１３と釣糸導入部１４が設けられている。
リ−ル装着部１３の前後の元竿１には握り部１５、１６が固定されている。
前側の握り部１５の前側の元竿１外周には鉤掛け部材２が糸１７で糸巻き固定されている。
鉤掛け部材２は金属線等で水平の取付部２ａに鉤掛け部２ｂが起立して設けられている。
鉤掛け部２ｂは逆三角形で内側に孔が形成されている。
鉤掛け部材２の起立部（鉤掛け部２ｂ）の竿管から頂部迄の高さを３ｍｍ〜１０ｍｍに設定することにより鉤部が竿管から適度に離れ、竿管を傷付け難くなり、好ましい。
鉤掛け部材２の前側の元竿１外周には竿管保護部材３が固定されている。
【００１２】
竿管保護部材３は合成樹脂製熱収縮性チュ−ブを元竿１外周に被嵌固定したり、合成樹脂、ゴム等の柔軟性のシ−トが巻回固定されている。
竿管保護部材３に合成樹脂製熱収縮性チュ−ブが使用された時、収縮後のチュ−ブの厚みは０．５ｍｍ以上が好ましい。
又、チュ−ブの前端部は糸巻、糸止等により段差を小さくすると釣糸、仕掛等が引っ掛からず好ましい。
竿管保護部材３の元竿の軸線方向の長さは５ｍｍ〜３０ｍｍ好ましくは１５ｍｍ〜２５ｍｍに設定するとよい。
竿管保護部材３は夜間でも鉤掛け部材２の位置をわかり易くするために蛍光材や蓄光材を含有した素材を使用したり、塗布してもよい。
【００１３】
鉤掛け部２ｂにはイカ釣り用疑似餌４の後側に固定された鉤部５の鉤先５ａが掛けられている。
イカ釣り用疑似餌４の後側には連結杆６が突出固定されて連結杆６に２組の鉤部５が固定されている。
イカ釣り用疑似餌４の前側にはフック１８が固定されて釣糸１９が取り付けられている。
釣糸１９は元竿１に設けられたリ−ル装着部１３に装着されたリ−ル７のスプ−ルから引き出されて釣糸導入部１４から竿内に挿通された後、穂先竿１１のトップガイド１２から引き出されて折り返されている。
【００１４】
前記のように釣竿が構成されると、鉤先５ａが竿管保護部材３に触れても元竿１の竿管本体及び外周塗装部に傷が付き難く、外観品位の維持と竿管の損傷を防止出来る。
鉤先５ａが竿管保護部材３に触れても鉤先５ａを痛め難い。
竿管保護部材３の長さが５ｍｍ〜３０ｍｍ好ましくは１５ｍｍ〜２５ｍｍあると、鉤部５を鉤掛け部材２に掛けた場合、竿管を長さ方向で最小限保護することができ、竿管本体のデザイン性を損なうことなく、同時に上記長さ範囲であれば軽量化を損なう事が少ない。
鉤掛け部材２には鉤先５ａを挿通できる鉤掛け部２ｂを有しているので、鉤部が掛け易く、外れ難く、移動中においても鉤部５が回転し難く、竿管保護部材３にも触れ難い。
【００１５】
図４（ｂ）〜（ｆ）、図５（ｂ）〜（ｆ）は鉤掛け部材の変形例で、図４は側面図群で図５は背面図群である。
【００１６】
図４（ｂ）の鉤掛け部材２０は前後の取付部２０ａと側面がコ字形の鉤掛け部２０ｂで形成されている。
図４（ｃ）の鉤掛け部材２１は前後の取付部２１ａと側面が正三角形の鉤掛け部２１ｂで形成されている。
図４（ｄ）の鉤掛け部材２２は前後の取付部２２ａと側面の左隅が３０度の三角形の鉤掛け部２２ｂで形成されている。
図４（ｅ）の鉤掛け部材２３は後側の取付部２３ａと側面の左隅が削除された三角形の鉤掛け部２３ｂで形成されている。
図４（ｆ）の鉤掛け部材２４は前後側の取付部２４ａと側面が湾曲形の鉤掛け部２４ｂで形成されている。
【００１７】
図５（ｂ）の鉤掛け部材２５は取付部２５ａと背面が正三角形の鉤掛け部２５ｂで形成されている。
取付部２５ａは２本の線材が揃えられており、以下同様である。
図５（ｃ）の鉤掛け部材２６は取付部２６ａと背面が円形の鉤掛け部２６ｂで形成されている。
図５（ｄ）の鉤掛け部材２７は取付部２７ａと起立部２７ｂと背面が小円形の鉤掛け部２７ｃで形成されている。
図５（ｅ）の鉤掛け部材２８は取付部２８ａと起立部２８ｂと頂部三角の鉤掛け部２８ｃで形成されている。
図５（ｆ）の鉤掛け部材２９は取付部２９ａと起立部２９ｂと頂部円形の鉤掛け部２９ｃで形成されている。
上記図４（ａ）の鉤掛け部材２と図５（ｂ）、〜（ｆ）の背面図の鉤掛け部材を組合わせた形状に形成してもよい。
【００１８】
図６は竿管保護部材の変形例で、図６は竿管保護部材の斜視図である。
【００１９】
変形例の竿管保護部材８は軸線方向の切り欠き８ａが形成されて元竿１外周に脱着式に構成されている。
他の構成は前記第１実施例と略同一である。
【００２０】
竿管保護部材８が脱着式に構成されていると、釣りの最中には取り外しが可能な為、釣り動作の妨げにならない。
【００２１】
図７、図８は第２実施例で、図７は元竿と鉤掛け部材と竿管保護部材とイカ釣り用疑似餌の要部拡大側面図、図８は図７のＦ８−Ｆ８断面線の断面背面図である。
【００２２】
第２実施例では、元竿１外周に鉤掛け部材２が糸１７で糸巻き固定されている。
鉤掛け部材２の前側の元竿１外周にはシ−ト状の竿管保護部材９の一側部９ａが巻回され、延長部９ｂはイカ釣り用疑似餌４と鉤部５を覆うように巻回されて他側部９ｃは一側部９ａの外側で図示しないベルクロ式ファスナ−で係止されている。
他の構成は前記第１実施例と略同一である。
【００２３】
竿管に傷がつかないと同時に釣人が鉤先に触れて怪我をする事を防止出来る。
【００２４】
前記説明では鉤掛け部材２に引っかける鉤部をイカ釣り用疑似餌４の鉤部５としたが他の形状種類の鉤部でもよい。
【００２５】
【発明の効果】
本発明は、以上説明したような形態で実施され、以下に記載されるような効果を奏する。
【００２６】
請求項１により、鉤先が竿管保護部材に触れても元竿の竿管本体及び外周塗装部に傷が付き難く、外観品位の維持と竿管の損傷を防止出来る。
請求項２により、鉤先が竿管保護部材に触れても鉤先を痛め難い。
請求項３により、竿管保護部材の長さが５ｍｍ〜３０ｍｍ好ましくは１５ｍｍ〜２５ｍｍあると、鉤部を鉤掛け部材に掛けた場合、竿管を長さ方向で最小限保護することができ、竿管本体のデザイン性を損なうことなく、同時に上記長さ範囲であれば軽量化を損なう事が少ない。
請求項４により、鉤掛け部材には鉤先を挿通できる鉤掛け部を有しているので、鉤部が掛け易く、外れ難く、移動中においても鉤部が回転し難く、竿管保護部材にも触れ難い。
請求項５により、竿管保護部材が脱着式に構成されていると、釣りの最中には取り外しが可能な為、釣り動作の妨げにならない。
請求項６により、竿管に傷がつかないと同時に釣人が鉤先に触れて怪我をする事を防止出来る。
【図面の簡単な説明】
【図１】第１実施例で、釣竿の側面図である。
【図２】同図１の要部拡大側面図である。
【図３】同図２のＦ３−Ｆ３断面線の断面背面図である。
【図４】鉤掛け部材の変形例で、鉤掛け部材の側面図である。
【図５】同鉤掛け部材の一部断面背面図である。
【図６】竿管保護部材の変形例で、竿管保護部材の斜視図である。
【図７】第２実施例で、元竿と鉤掛け部材と竿管保護部材とイカ釣り用疑似餌の要部拡大側面図である。
【図８】同図７のＦ８−Ｆ８断面線の断面背面図である。
【符号の説明】
１  元竿
２  鉤掛け部材
２ｂ  鉤掛け部
３、８、９  竿管保護部材
５  鉤部
５ａ  鉤先
９ｂ  延長部
【図１】
2004290037.tif 000003
【図２】
2004290037.tif 000004
【図３】
2004290037.tif 000005
【図４】
2004290037.tif 000006
【図５】
2004290037.tif 000007
【図６】
2004290037.tif 000008
【図７】
2004290037.tif 000009
【図８】
2004290037.tif 000010